(57)【特許請求の範囲】
【請求項１】
メディアデータを有する放送信号を受信するためのメディアレシーバと、
前記メディアデータからの可聴的及び／又は視覚的な出力を供給するためのレンダリングデバイスと、
インターネットサービスを介してメッセージを交換可能なユーザ機器とを有するシステムであって、
前記ユーザ機器は、メディアアイテムについてのメッセージを提出するためのメディアアイテムコメントオプションを有し、
当該システムは、データ抽出機能を更に有し、
前記ユーザ機器は、ユーザが前記メディアアイテムコメントオプションを選択した場合にデータ要求信号を発行するように構成され、
前記データ抽出機能は、要求の時点に関連付けられたタイムスロットにおいて再生される前記メディアアイテムの一部に関する抽出された代表的な情報を供給し、前記代表的な情報を前記ユーザ機器に供給するように構成され、
前記ユーザ機器は、メディアアイテムについての前記メッセージに前記代表的な情報を含めることが可能であり、
前記データ抽出機能は、より広範囲な代表的な情報の部分として前記代表的な情報を供給するように構成され、
前記ユーザ機器は、ユーザが前記より広範囲な代表的な情報から前記代表的な情報を選択するのを可能にする機能を有する、
システム。
【請求項２】
前記メディアアイテムから抽出される代表的な情報は、テキスト情報である、請求項１に記載のシステム。
【請求項３】
前記より広範囲な情報は、前記タイムスロットにおける前記メディアアイテムにおいて話されるテキストの概要を含み、
前記機能は、ユーザがこの概要における前記テキストから選択を行うのを可能にする、請求項１に記載のシステム。
【請求項４】
前記テキスト情報は、前記メディアアイテムにおけるクローズドキャプションから取得される、請求項２に記載のシステム。
【請求項５】
前記データ抽出機能は、前記メディアアイテムにおける口語的な言語から音声認識により前記テキスト情報を導出するためのコンポーネントを有する、請求項２に記載のシステム。
【請求項６】
メディアデータを有する放送信号を受信するためのメディアレシーバと、
前記メディアデータからの可聴的及び／又は視覚的な出力を供給するためのレンダリングデバイスと、
インターネットサービスを介してメッセージを交換可能なユーザ機器とを有するシステムであって、
前記ユーザ機器は、メディアアイテムについてのメッセージを提出するためのメディアアイテムコメントオプションを有し、
当該システムは、データ抽出機能を更に有し、
前記ユーザ機器は、ユーザが前記メディアアイテムコメントオプションを選択した場合にデータ要求信号を発行するように構成され、
前記データ抽出機能は、要求の時点に関連付けられたタイムスロットにおいて再生される前記メディアアイテムの一部に関する抽出された代表的な情報を供給し、前記代表的な情報を前記ユーザ機器に供給するように構成され、
前記ユーザ機器は、メディアアイテムについての前記メッセージに前記代表的な情報を含めることが可能であり、
前記メディアアイテムから抽出される代表的な情報は、テキスト情報であり、
前記データ抽出機能は、前記メディアアイテムにおける口語的な言語から音声認識により前記テキスト情報を導出するためのコンポーネントを有し、
前記コンポーネントは、前記口語的な言語の話者を認識し、前記話者の識別子を前記メディアアイテムの代表的なテキスト情報として含めるように構成される話者認識部を有する、システム。
【請求項７】
メディアレシーバにより、メディアデータを有する放送信号を受信するステップと、
インターネットサービスを介してメディアアイテムについてのメッセージを提出するためのメディアアイテムコメントオプションを選択するユーザ機器により、前記放送信号に基づいて可聴的及び／又は視覚的な出力をレンダリングするステップと、
前記メディアアイテムコメントオプションを選択すると、データ要求信号を前記メディアレシーバに発行するステップと、
前記データ要求信号の時点に関連付けられるタイムスロットにおいて再生される前記メディアアイテムの一部に関する代表的な情報を抽出するステップと、
前記代表的な情報を前記ユーザ機器に供給するステップと、
前記代表的な情報を前記メッセージに含めるステップとを有し、
前記代表的な情報は、より広範囲な代表的な情報の部分として供給され、
ユーザは、前記より広範囲な代表的な情報から前記代表的な情報を選択することを可能にされる、方法。
【請求項８】
ユーザ機器であって、
インターネットサービスを介してメッセージを交換するための第１の通信機能であって、当該ユーザ機器は、メディアアイテムについてのユーザコメントを有するメッセージを提出するためのメディアアイテムコメントオプションを有する、第１の通信機能と、
メディア抽出要求信号をメディアレシーバに送信するためのリクエスト送信モジュールを有する第２の通信機能であって、前記第２の通信機能は、前記抽出要求信号が受信される時点に関連付けられるタイムスロットにおいてメディア受信機能により再生される前記メディアアイテムの一部に関連した前記メディアレシーバから前記メディア抽出要求信号に対する応答を受信するための応答受信モジュールを有する、第２の通信機能と、
前記メディアアイテムの前記部分に関する抽出された代表的な情報を受信するための抽出された情報受信モジュールと、
前記抽出された代表的な情報を前記メッセージと組み合わせるための組み合わせ機能とを有し、
前記第１の通信機能は、前記抽出された代表的な情報を含む前記メッセージを前記インターネットサービスを介して送信するように構成され、
前記情報受信モジュールが、より広範囲な代表的な情報の部分として前記代表的な情報を受信するように構成され、
前記ユーザ機器は、ユーザが前記より広範囲な代表的な情報から前記代表的な情報を選択するのを可能にする機能を有する、
ユーザ機器。
【請求項９】
前記第２の通信機能の前記応答受信モジュールは、前記メディアレシーバからの応答として前記メディアアイテムの前記部分に関する前記抽出された代表的な情報を受信するように構成される、請求項８に記載のユーザ機器。
【請求項１０】
前記第２の通信機能の前記応答受信モジュールは、前記メディアアイテムコメントオプションの起動の時点で再生されるメディアアイテムを示すとともに、前記起動の時点に関連付けられる前記メディアアイテムの一部を示す指標を前記メディアレシーバからの応答として受信するように構成され、
前記第１の通信機能は、前記指標をサーバに送信するように構成され、
前記抽出された情報受信モジュールは、第１の通信機能の部分であり、
前記抽出された情報受信モジュールは、前記メディアアイテムの前記部分に関する前記抽出された代表的な情報を前記サーバから受信するように構成される、請求項８に記載のユーザ機器。
【請求項１１】
メディアレシーバであって、
再生されるべきメディアデータを有する放送信号を受信するための受信機能と、
前記メディアレシーバを制御するためにユーザ機器と通信するための通信機能であって、前記通信機能は、メディア抽出要求信号を受信するように構成されたリクエスト受信モジュールを有する、通信機能と、
前記メディア抽出要求信号が受信された時点に関連付けられるタイムスロットにおいて再生されるメディアアイテムの一部に関する代表的な情報を抽出するためのデータ抽出機能とを有し、
前記通信機能は、抽出された代表的な情報を前記ユーザ機器に送信するように構成された応答送信モジュールを有し、
前記データ抽出機能は、より広範囲な代表的な情報の部分として前記代表的な情報を供給するように構成されて、ユーザが前記より広範囲な代表的な情報から前記代表的な情報を選択するのを可能にする、
メディアレシーバ。
【請求項１２】
メディアアイテムの指標と前記メディアアイテムの一時的な部分を示す時間指標とを要求元端末から受信するための入力機能と、
メディア情報を格納するための格納機能と、
前記格納機能に格納された前記メディア情報から前記メディアアイテムの一時的な部分に関する代表的な情報を抽出するためのデータ抽出機能と、
前記代表的な情報を前記要求元端末に送信するための出力機能とを有し、
前記データ抽出機能は、より広範囲な代表的な情報の部分として前記代表的な情報を供給するように構成されて、ユーザが前記より広範囲な代表的な情報から前記代表的な情報を選択するのを可能にする、
サーバ。
【請求項１３】
メディアアイテムについてのコメントを含むメッセージをインターネットサービスを介して提出するためのメディアアイテムコメントオプションを選択するステップと、
前記メディアアイテムコメントオプションを選択すると、データ要求信号をメディアレシーバに発行するか、又は、前記の選択の時点で再生されるメディアアイテムを示すとともに前記メディアアイテムコメントオプションの起動の時点に関連付けられる前記メディアアイテムの一部を示す指標をサーバに発行するステップと、
前記データ要求信号の時点に関連付けられるタイムスロットにおいて再生される前記メディアアイテムの一部に関する、より広範囲な代表的な情報の部分として代表的な情報を前記メディアレシーバ又は前記サーバから受信するステップと、
ユーザに前記より広範囲な代表的な情報から前記代表的な情報を選択させるステップと、
選択された前記代表的な情報を前記メッセージに含めるステップとをユーザ機器に実行させるための命令を有する、コンピュータプログラム。
【発明の詳細な説明】
【技術分野】
【０００１】
本発明は、メディアに関連したメッセージを通信するためのシステムに関する。本発明は、更に、メディアに関連したメッセージを通信するための方法に関する。本発明は、更に、前記システムにおいて使用するメディアレシーバ、サーバ及びユーザ機器に関する。本発明は、更に、ユーザ機器のための、及び、データ処理デバイスのための、コンピュータプログラム製品に関する。
【背景技術】
【０００２】
ＴＶを見ることは、常に多くの人々のための社会的なアクティビティであった。同じ部屋において他の人と一緒にテレビ番組、サッカーの試合等を見ることは、その体験に加わる。１つは、リアルタイムで示されるものについてリアルタイムにコメントすることができ、感情がリアルタイムに共有され得る。これは、常にＴＶを見る知覚された魅力において重要な側面であった。そして、最近までは、単一の家庭のメンバーは、典型的には、一緒にＴＶを見ることに非常に多くの時間を過ごすだろう。
【０００３】
長年に渡るテレビの価格の連続的な減少により、我々は、家庭当たりのテレビの数の増加を見る。加えて、部分的にＹｏｕＴｕｂｅとしてのインターネットビデオ貯蔵所の成功により、人々がＰＣ又はポータブルデバイス上でＴＶ及び他のビデオコンテンツを見始めることは非常に一般的である。結果として、人々はますますＴＶ及び他のビデオコンテンツを単独で見るようになり、彼らが見ているものについて他人に直接コメントするという可能性をもはや有しない。
【０００４】
ソーシャルメディア、及び、より詳しくはフェイスブック、電子メール、ｍｍｓ及びＴｗｉｔｔｅｒのようなソーシャルネットワーキングサービスの出現は、ユーザが現在見ているものについて他人にリアルタイムに通信することを再びある程度可能にしている。この手法において、ユーザは、彼らが見ている及び／又は聴いているコンテンツについてメッセージを交わし得る。とりわけ、Ｔｗｉｔｔｅｒは、放送されているテレビ番組についてリアルタイムにコメントするために非常に普及している。
【０００５】
しかしながら、既存のソーシャルネットワーキングサービスは非常に限定される。交わされるべきメッセージは、ウェブページへのリンクを含んでもよいが、それは、テレビ番組において起こっている予想外のことに直ちに反応するためには役立たない。現在放送されているテレビ番組に反応することにより、ユーザは、メッセージの受取人に理解可能にするためにそのコンテクストを詳細にタイプしなければならない。これは非常に気が散ることになり、メッセージのタイピングで忙しいときに、１人は、テレビ番組における興味深い次のイベントを見逃すかもしれない。加えて、Ｔｗｉｔｔｅｒは、そのユーザが最高１４０文字のショートメッセージを送ることを可能にするだけである。
【０００６】
幾つかの新しい利用可能なサービスは、この問題を部分的に軽減する解決策を提供する。例えば、ヤフーは、携帯電話で用いられ得るＩｎｔｏＮｏｗと呼ばれるサービスを提供する。携帯電話は、テレビ番組名を有するタグが友人に送られ得るツイートに自動的に含まれ得るように、ユーザがどのテレビ番組を見ているかを自動的に識別するためにそのマイクロホンで捕獲する音を分析する。しかしながら、これは、テレビ番組のみを識別し、ユーザが多分必要とするだろう特定のイベント又は特定のシーンには言及しない。想定は、ＴＶを見るときに、ユーザが、特定のイベント又はＴＶ番組における人々のうちの１人の特定の引用に反応又はコメントしたいということである。
【０００７】
ＵＳ２０１２／０１１７５９４は、公共放送サービスを供給するための放送局の方法を開示している。この方法は、以下のステップを有する。
−  ユーザ機器のユーザによりソーシャルアプリケーションを用いて登録されたメッセージが、コンテンツ提供者により供給される放送プログラムに関するメッセージであることを示す書込インジケータをソーシャルネットワークサーバから受信するステップ。
−  書込インジケータを含む追加のデータ及び放送プログラムの双方を機器に送信するステップ。
【０００８】
既知の方法は、ユーザが、放送プログラムをリアルタイムに視聴している間、ソーシャルサークルを介して対応するプログラムに関連付けられた彼（女）の個人的な意見、考え及び追加のデータを共有することを可能にする。しかしながら、広い帯域幅を有するチャネルは、書込インジケータ及び放送プログラムを含む追加のデータの双方を機器に送信することを必要とする。
【発明の概要】
【発明が解決しようとする課題】
【０００９】
本発明の目的は、上で示された欠点のうち少なくとも１つを少なくとも軽減することにある。
【課題を解決するための手段】
【００１０】
この目的によれば、本発明の第１の態様によるシステムは、請求項１に記載されるよう提供される。この目的によれば、本発明の第２の態様による方法は、請求項１０に記載されるよう提供される。この目的によれば、本発明の第３の態様によるユーザ機器は、請求項１２に記載されるよう提供される。この目的によれば、本発明の第４の態様によるメディアレシーバは、請求項１３に記載されるよう提供される。この目的によれば、本発明の第５の態様によるサーバは、請求項１４に記載されるよう提供される。この目的によれば、ユーザ機器のための第６の態様によるコンピュータプログラム製品は、請求項１５に記載される。この目的によれば、データ処理デバイスのための第７の態様によるコンピュータプログラム製品は、請求項１６に記載される。
【００１１】
本発明によれば、インターネットサービスは、リクエストの時点と関連付けられるタイムスロットにおいて再生されるメディアアイテムの一部に関する抽出された代表的な情報を含むユーザメッセージを送信するために用いられる。"関連付けられた"という用語は、１秒の何分の１から例えば１分まで変化し得る、ユーザの或る反応時間を考慮する、リクエストの時間的ポイント又はリクエストの時間の直前のポイントを有するタイムスロットであるものと理解される。代表的な情報は、メディアアイテムの特定のタイムスロットのみを表し、情報は抽出により取得されるので、比較的制限された量のデータにより表され得る。関連するタイムスロットは、数秒の期間、例えば１秒から最大１０秒の期間を有し得る。タイムスロットは、単一のフレームの期間であってもよい。それとともに、システムは、Ｔｗｉｔｔｅｒのような比較的小さな帯域幅を有するソーシャル媒体での使用に適している。
【００１２】
一実施形態において、メディアアイテムからの抽出される代表的な情報は、テキスト情報である。典型的には適度な量のデータのみを必要とし、ユーザコメントと容易に組み合わせられ得るという点で、テキスト情報は後者の使用にとりわけ適している。テキスト情報は、例えばクローズドキャプションから又は音声認識により導出される、口語的なテキストを有してもよい。代わりに、テキスト情報は、（例えばタイムスロットにおいてメディアアイテムに現れ、後にオブジェクトを説明により識別するオブジェクト又は顔の認識により）他のソースから導出されてもよい。代表的な情報の抽出は、種々の手段で生じ得る。
【００１３】
これらの及び他の態様は、図面を参照してより詳細に述べられる。
【図面の簡単な説明】
【００１４】
【図１】本発明の第３の態様によるユーザ機器と本発明の第４の態様によるメディアレシーバとを有する、本発明の第１の態様によるシステムの概要を示す。
【図２】本発明の第３の態様によるユーザ機器及び本発明の第４の態様によるメディアレシーバの一実施形態をより詳細に示す。
【図３】本発明の第４の態様によるメディアレシーバのモジュールをより詳細に示す。
【図３Ａ】図３のモジュールのコンポーネントをより詳細に示す。
【図４】本発明の第３の態様によるユーザ機器の代替実施形態をより詳細に示す。
【図５】本発明の第３の態様によるユーザ機器と本発明の第４の態様によるメディアレシーバと本発明の第５の態様によるサーバとを有する、本発明の第１の態様による代替システム及びの概要を示す。
【図５Ａ】図５のサーバの一実施形態をより詳細に示す。
【図５Ｂ】本発明の第３の態様によるユーザ機器と本発明の第４の態様によるメディアレシーバと本発明の第５の態様によるサーバとを有する、本発明の第１の態様による他の代替システムの概要を示す。
【図６】本発明の第２の態様による方法を示す。
【発明を実施するための形態】
【００１５】
種々の図面における同様の参照シンボルは、特に明記しない限り同様の要素を示す。
【００１６】
以下の詳細な説明において、多数の特定の細部は、本発明の完全な理解を与えるために記載される。しかしながら、本発明はこれらの特定の細部を伴うことなく実施されてもよいことは当業者により理解されるだろう。他の例において、既知の方法、手順及びコンポーネントは、本発明の態様をぼかさないよう、詳細に述べられていない。
【００１７】
第１、第２、第３等の用語が種々の機能、要素、コンポーネント、ステップ及び／又はモードを述べるためにここで用いられ得るにも関わらず、これらの機能、要素、コンポーネント、ステップ及び／又はモードは、これらの用語により限定されるべきでないことが理解されるだろう。これらの用語は、１つの機能、要素、コンポーネント、ステップ及び／又はモードを他の要素、コンポーネント、ステップ及び／又はモードから区別するためにのみ用いられる。故に、以下で述べられる第１の機能、要素、コンポーネント、ステップ及び／又はモードは、本発明の教示から逸脱することなく第２の機能、要素、コンポーネント、ステップ及び／又はモードと称され得る。
【００１８】
別段の規定がない限り、ここで使用される（技術的及び科学的な用語を含む）全ての用語は、当業者により一般に理解されるものと同じ意味を有する。更に、一般に用いられる辞書において定義されるもののような用語は、関連する技術の文書においてそれらの意味と一致している意味を有するものと解釈されるべきであり、ここで特に規定されない限り、理想的な又はあまりに形式的な感覚において解釈されないことが理解されるだろう。ここで述べられる全ての刊行物、特許出願、特許及び他の参照は、それらの全部について参照により取り込まれる。コンフリクトの場合には、定義を含めた本明細書が優先するだろう。加えて、材料、方法及び例は、例証を示すに過ぎず、限定することを意図するものではない。
【００１９】
図１は、メディアレシーバ１０、レンダリングデバイス２０及びユーザ機器３０を有するシステム１を図式的に示している。メディアレシーバ１０は、オーディオ及び／又はビデオデータのようなメディアデータを有する放送信号ＢＲＳを受信するように構成される。放送信号は、メディアデータを有する任意のデジタル又はアナログ信号であってもよい。レンダリングデバイス２０は、放送信号ＢＲＳに基づいて可聴的及び／又は視覚的な出力Ａ／Ｖを供給する。レンダリングデバイス２０は、メディアレシーバ１０の一体部分であってもよい。
【００２０】
ユーザ機器３０は、例えばＴｗｉｔｔｅｒ又はＦａｃｅｂｏｏｋを介して１又はそれ以上の受取人に対して、インターネット接続５０を用いてインターネットサービス４０を介してメッセージを交わすことができる。ユーザ機器３０は、更に、メディアアイテムについてのメッセージＭＳＧを提出するためのメディアアイテムコメントオプションを有する。一実施形態において、ユーザ機器３０は、ユーザＵＳＲ１がメディアレシーバ１０を制御するのを可能にしてもよい。
【００２１】
ユーザ機器３０は、ユーザがメディアアイテムコメントオプションＭＩＣを選択した場合にデータ要求信号ＤＲＱをメディアレシーバ１０に発行するように構成され、メディアレシーバ１０は、前記リクエストの時点でタイムスロットにおいて再生されるメディアアイテムの一部に関する代表的な情報を抽出し、前記代表的な情報ＲＩＮＦをユーザ機器に供給するように構成される。ユーザ機器３０は、メディアアイテムについての前記メッセージにおける前記代表的な情報ＲＩＮＦを含むことができる。そして、メッセージＭＳＧは、インターネットサービス４０を用いてインターネットを介して、受取人ＵＳＲ２のユーザ機器３０２に提出される。
【００２２】
図２は、メディアレシーバ１０及びユーザ機器３０の一実施形態をより詳細に示している。ユーザ機器３０は、ユーザがメディアアイテムコメントオプションＭＩＣを選択してコメントＣＯＭＭを供給するのを可能にするユーザインタフェース３２を有する。ユーザ機器３０は、データ要求信号ＤＲＱをメディアレシーバ１０に発行するための送信モジュール３４を更に有する。ユーザ機器３０のリクエスト送信モジュール３４は、メディアレシーバの通信機能１６のリクエスト受信モジュール１６１と連携する。リクエスト送信モジュール３４とリクエスト受信モジュール１６１との間の伝送は、Ｕｐｎｐ又はＤＬＮＡとしてより高いレベルのプロトコルにおいて用いられ得る、データ要求信号ＤＲＱを送信するための任意の無線手段（例えば、Ｗｉｆｉ、Ｂｌｕｅｔｏｏｔｈ又は赤外線接続）を用いてもよい。代わりに、例えばユーザ機器３０及びメディアレシーバ１０が共有ハウジングにおいて一体化される場合には、有線接続が用いられてもよい。ユーザ機器３０は、メディアレシーバ１０の応答送信モジュール１６２から代表的な情報ＲＩＮＦを受信するための応答受信モジュール３６を更に有する。同様に、任意の無線又は有線接続は、最善に適合するものは何でも、この伝送のために用いられてもよい。ユーザ機器３０は、ユーザにより供給されたコメントＣＯＭＭを、メディアアイテムについての前記メッセージＭＳＧにおける代表的な情報ＲＩＮＦと組み合わせるための組み合わせモジュール３８を有する。ユーザ機器３０は、インターネットサービス４０により１又はそれ以上の他ユーザＵＳＲ２のそれぞれのユーザ機器３０２に対してコメントＣＯＭＭ及び代表的な情報ＲＩＮＦを含むメッセージＭＳＧをインターネット５０を介して後に送信するインターネットアクセスモジュール３９により形成される通信機能を有する。
【００２３】
メディアレシーバ１０は、アナログ又はデジタルメディア放送信号ＢＲＳを受信することができる放送受信モジュール１２を有する。放送受信モジュール１２は、信号ＢＲＳから特定チャンネルを選択するためのチューナを有してもよい。メディアレシーバ１０は、リクエストＤＲＱの時点でタイムスロットにおいて再生されるメディアアイテムの一部についての代表的な情報ＲＩＮＦを抽出するための代表的な情報抽出モジュール１４を更に有する。抽出モジュール１４により抽出される代表的な情報ＲＩＮＦは、放送受信モジュール１２により受信されるメディア信号ＳＡ／Ｖと比較して、例えば少なくともファクタ１００倍、好ましくは少なくとも１０００倍、又は、少なくとも１００００倍、データコンテンツにおいて実質的に削減される。要求されるデータコンテンツの削減を可能にする抽出モジュール１４の種々の実施形態が以下に説明される。
【００２４】
図３は、抽出モジュール１４の一例をより詳細に示している。示される実施形態において、抽出モジュール１４は、各々が入力信号ＳＡ／Ｖから特定の情報を抽出することができる複数のコンポーネントを有する。示される実施形態において、抽出モジュールは、ユーザＵＳＲ１が見ているメディアアイテムを表すメディア信号ＳＡ／Ｖからクローズドキャプションを抽出するための第１のコンポーネント１４１を有する。クローズドキャプションを表すのに必要なデータはメディア信号ＳＡ／Ｖにおける全てのデータのうちほんの僅かであるので、第１のコンポーネント１４１は、データ量のかなりの削減を達成する。クローズドキャプションは、メディア信号ＳＡ／Ｖにおけるサブ信号として存在してもよい。その場合、第１のコンポーネント１４１は、このサブ信号のみを切り離す必要がある。代わりに、第１のコンポーネント１４１は、画像信号におけるクローズドキャプションデータを認識するためのＯＣＲ機能を有してもよい。第２のコンポーネント１４２は、音声認識モジュールである。このコンポーネント１４２は、口語的なテキストを認識するためのスタンドアロンモジュールとして用いられ得る。代わりに、このコンポーネント１４２は、第１のコンポーネント１４１と組み合わせて用いられてもよい。コンポーネント１４１，１４２のこの組み合わせは、メディア信号ＳＡ／Ｖに存在するテキストの向上した認識をもたらし得る。第２のコンポーネント１４２は、異なる話者間を識別するために追加的に用いられてもよい。話者が識別され得ない場合であっても、この機能は、認識されたテキストの異なる部分が異なる話者から来ることを示すために依然として用いられ得る。この情報は、例えば認識されたテキストを各話者のための異なる色で表示することにより、視覚的に表され得る。第３のコンポーネント１４３は、画像認識コンポーネントである。この第３のコンポーネント１４３は、例えば顔（例えば、メディアアイテムに現れる人の顔）を認識するために用いられてもよい。第３のコンポーネント１４３により生成される情報は、認識を向上させるために、組み合わせモジュール１４４において第２のコンポーネント１４２の情報と組み合わせられてもよい。代わりに、又は、加えて、画像認識コンポーネント１４３は、メディアアイテムにおける他フィーチャ（例えば、特徴的なビル又はシーン）を認識するために用いられてもよい。この情報は、例えば町又は国を識別するために順次用いられてもよい。示された実施形態において、抽出モジュール１４は、入ってくるメディア信号ＳＡ／Ｖを遅延させるための遅延コンポーネント１４０を有する。この手法において、ユーザが特定のシーンに反応する前に或る時間を要することが考慮される。更に、反応の時点の前後の時間間隔においてメディアアイテムから関連する情報を抽出することが望ましいかもしれない。実際には、抽出モジュール１４は、コンポーネント１４１−１４３の各々を有する必要はなく、又は、代替の抽出コンポーネント（例えば、メディア信号ＳＡ／ＶからＥＰＧデータを抽出するためのコンポーネント又は代表的なフレームを抽出するためのコンポーネント）を有してもよい。幾つかの実施形態において、抽出モジュールは、これらのコンポーネントのサブセットを有してもよく、例えば１つだけのコンポーネント例えば、メディアアイテムを表すメディア信号ＳＡ／Ｖからクローズドキャプションを抽出するための第１のコンポーネント１４１を有してもよい。
【００２５】
図３Ａは、話者認識コンポーネント１４２をより詳細に示しており、音声認識コンポーネント１４２は、前記口語的な言語の話者を認識するように構成された話者認識部１４２１を有する。音声認識コンポーネント１４２は、更に、ユーザＵＳＲ１が話者認識部１４２１により取得される話者認識結果を修正するのを可能にする修正部１４２２を有し、ユーザにより与えられた修正を用いて話者認識部分１４２１をトレーニングするためのトレーニング部１４２３を有する。話者認識部分１４２１は、話者認識部分１４２１がメタデータにより示される話者の制限されたセットから話者を認識することのみを必要とするように、メディア信号ＳＡ／Ｖにおいて利用可能なメタデータＭＤＴを用いてもよい。使用の間、話者認識部分１４２１は、認識した話者を示す信号ＳＣＬを生成する。必要に応じて、ユーザは、例えば修正された名前をタイプするか若しくは話すことにより、又は、名前のリスト（例えば、メタデータＭＤＴにおいて利用可能な名前のリスト）における正しい名前にポインティングすることにより、この認識結果を修正することができる。この方法においてユーザにより与えられるフィードバックは、信号ＳＣＲとして示される。代わりに、ユーザは、分類結果ＳＣＬを承認又は拒否するだけで、フィードバックＳＣＲを与えてもよい。ユーザによるフィードバックを用いて、トレーニング部分１４２３は、認識結果を向上させるために認識部１４２１をトレーニングする。
【００２６】
同様に、画像認識モジュール１４３は、ユーザＵＳＲ１が顔認識コンポーネントにより取得された顔認識結果を修正するのを可能にするための修正部と、ユーザにより与えられた修正を用いて顔認識コンポーネントをトレーニングするためのトレーニング部とを有してもよい。
【００２７】
図４は、ユーザ機器３０の代替実施形態を示している。この実施形態は、より広範囲な代表的な情報ＸＩＮＦの部分として前記代表的な情報ＲＩＮＦを供給するように構成されたメディアレシーバでの使用にも適している。その目的のため、ユーザ機器３０は、選択ＳＩＮＦを特定することにより、ユーザが前記より広範囲な代表的な情報ＸＩＮＦから前記代表的な情報ＲＩＮＦを選択するのを可能にする機能３７を有する。より広範囲な代表的な情報ＸＩＮＦは、例えば、リクエストＤＲＱの時点のタイムスロットにおけるメディアアイテムについて話されるテキストの概要を有してもよく、機能３７は、ユーザＵＳＲ１がこの概要においてテキストから選択を行うのを可能にする。典型的には、機能３７は、単一の概要において複数のテキストアイテムを示すだろう。機能３７は、ユーザ機器３０のユーザインタフェース３２により、このより広範囲な代表的な情報ＸＩＮＦを示してもよい。代わりに、しかしながら、レシーバ１０及びレンダリングデバイス２０の機能は、より広範囲な代表的な情報ＸＩＮＦを示すために用いられてもよい。後者の場合、典型的には、より大きなスクリーンが情報ＸＩＮＦの表示のために利用可能である。話されるテキストは、各シーンに対して、それぞれのクラスタに視覚的にクラスタ化され得る。テキストは、各話者のための異なる色で着色されてもよい。ユーザＵＳＲ１は、例えばテキストのクラスタを選択するか又は文を選択することにより、代表的な情報を続いて選択してもよい。選択ＳＩＮＦは、任意の既知の手段により（例えば、文又は複数の文のクラスタをポインティングすることにより、文が番号付けされた場合には番号を入力することにより、複数の文のうちの１つのための固有のキーワードを話すことにより）、特定されてもよい。その目的のため、ユーザインタフェース３２は、音声認識モジュール３２１を有してもよい。
【００２８】
他の一例として、抽出ユニット１４により提供されるより広範囲な代表的な情報ＸＩＮＦは、メディアコメントオプションの選択の時点を含む時間窓に現れる人のリストであってもよい。ユーザは、メッセージＭＳＧにおける代表的な情報ＲＩＮＦとして含まれるべきそのリストから１又はそれ以上のアイテムを選択してもよい。
【００２９】
図５は、代替装置を示している。この装置において、メディアレシーバ１０は、ここではインターネット接続５０を介して、サーバ６０に結合される。この装置において、メディアレシーバ１０は、サーバ６０からのメディアアイテムに関する代表的な情報を要求する要求元端末である。その目的のため、メディアアイテムコメントオプションの起動により、システムは、サーバ６０に指標ＭＩＤＴを提出するように構成される。指標ＭＩＤＴは、前記の起動の時点で再生されるメディアアイテムを示し、前記メディアアイテムのどの部分が前記起動の時点で再生されるかを示す時間指標を含む。メディアアイテムの指標は、例えばＥＰＧから利用可能であり、例えば、ビデオ信号中のタイムスタンプ情報が時間指標として用いられ得る。指標ＭＩＤＴは、例えばＴＶ  Ａｎｙｔｉｍｅ規格のように知られた規格に従って、又は、所有者のＩＤ（例えばＵＵＩＤ（Universally Unique Identifier））として、送信されてもよい。指標ＭＩＤＴに応答して、サーバ６０は、前記メディアアイテムについての前記メッセージＭＳＧに含まれるべき前記代表的な情報ＲＩＮＦをメディアレシーバに供給するように構成される。オプションとして、前記代表的な情報ＲＩＮＦは、より広範囲な情報ＸＩＮＦの部分として供給される。そして、メディアレシーバ１０は、この情報ＲＩＮＦをユーザ機器３０に供給する。図５Ｂを参照してより詳細に述べられる代替実施形態において、ユーザ機器３０は、指標ＭＩＤＴを送信し、代わりに、サーバ６０から代表的な情報ＲＩＮＦを受信する。
【００３０】
図５Ａは、サーバ６０をより詳細に示している。サーバは、要求元端末、ここではメディアレシーバ１０から指標ＭＩＤＴを受信するための入力機能６２１を有する。更なるサーバ６０は、メディア情報を格納するための格納機能６６を更に有する。メディア情報は、メディアアイテムのコンテンツ情報を有してもよいが、代わりに又は加えて、メディアアイテムについてのメタデータを有してもよい。サーバ６０は、格納機能６６に格納された前記メディア情報から前記メディアアイテムの一時的な部分についての代表的な情報ＲＩＮＦを抽出するためのデータ抽出機能６４を更に有する。データ抽出機能６４は、図３に関してメディアレシーバ１０のデータ抽出機能１４のために述べられたモジュールと同様のモジュールを有してもよい。サーバは、代表的な情報ＲＩＮＦを要求元端末に送信するための出力機能６２２を更に有する。同様に、サーバ６０は、より広範囲な代表的な情報ＸＩＮＦの部分として前記代表的な情報ＲＩＮＦを供給することが可能であってもよい。その場合、ユーザＵＳＲは、図４を参照して述べられたものと類似した態様でより広範囲な代表的な情報ＸＩＮＦから代表的な情報ＲＩＮＦを選択することができる。
【００３１】
図５Ｂは、本発明の第３の態様によるユーザ機器と本発明の第４の態様によるメディアレシーバと本発明の第５の態様によるサーバとを有する、本発明の第１の態様による他の代替システムの概要を示している。図５Ｂの装置において、ユーザ機器３０は、要求元端末である。この代替システムにおける前記メディアアイテムコメントオプションの起動により、ここではインターネット接続５０を介して、ユーザ機器３０は、メディアレシーバ１０から指標ＭＩＤＴを受信し、この指標をサーバ６０に提出するように構成される。サーバ６０は、前記メディアアイテムについての前記メッセージＭＳＧに含まれるべき前記抽出された代表的な情報ＲＩＮＦを前記ユーザ機器３０に供給するように構成される。
【００３２】
図６は、本発明の第２の態様による方法を図式的に示している。図６で示された方法は、以下のステップを有する。第１のステップＳ１において、メディアレシーバ１０は、メディアデータを有する放送信号ＢＲＳを受信する。第２のステップＳ２において、このメディアデータは、放送信号に基づいて可聴的及び／又は視覚的な出力をレンダリングするためのレンダリングデバイス２０により用いられる。レンダリングデバイス２０は、メディアレシーバ１０と一体化されてもよい。代わりに、メディアレシーバ１０は、別々のデバイス（例えば、セットトップボックス）であってもよい。可聴的及び／又は視覚的な出力を知覚しているユーザは、ユーザ機器３０によりメディアレシーバ１０を制御することができる。これは、例えばリモコン、タブレット又はスマートフォンであってもよい。一実施形態において、ユーザ機器３０は、メディアレシーバ１０の一体部分であってもよい。他の実施形態において、ユーザ機器３０は、レンダリングデバイス２０として機能してもよい。再び他の実施形態において、単一のデバイス（例えば、適切にプログラムされたパーソナルコンピュータ、ラップトップ又はタブレット等）は、メディアレシーバ１０、レンダリングデバイス２０及びユーザ機器３０の機能を実行する。ユーザ機器３０は、メディアアイテムコメントオプションを有する。ステップＳ３におけるこのオプションの選択により、ユーザは、インターネットサービス４０（例えば、Ｔｗｉｔｔｅｒ又はＦａｃｅｂｏｏｋ）を介してメディアアイテムについてのメッセージＭＳＧを提出することを可能にされる。メディアアイテムコメントオプションの選択Ｓ３により、データ要求信号ＤＲＱは、ステップＳ４においてメディアレシーバ１０に発行される。ユーザ機器３０及びメディアレシーバ１０が別々のコンポーネントである場合において、このデータ要求信号ＤＲＱは、典型的には、例えばＢｌｕｅｔｏｏｔｈ接続を介して、ワイヤレスで送信されるだろう。ユーザ機器３０及びメディアレシーバ１０が一体化される場合において、有線接続がこの伝送のためにより適しているかもしれない。信号ＤＲＱを受けると、メディアの一部についての代表的な情報ＲＩＮＦが、ステップＳ５において抽出され、ステップＳ６においてユーザ機器３０に提出される。この抽出Ｓ５は、メディアレシーバ１０により実行されてもよいが、代わりに、図６中の点線により示されるような遠隔サーバ６０により実行されてもよい。後者の場合、メディアレシーバ１０は、ステップＳ５１において前記起動の時点で再生されるメディアアイテムの指標ＭＩＤＴ及び前記メディアアイテムのどの部分が前記起動の時点で再生されたかを示す時間指標を前記サーバ６０に提出するように構成される。この情報を使用して、サーバ６０は、代表的な情報ＲＩＮＦを生成し、ステップＳ５２においてこの情報をメディアレシーバ１０に送信する。ステップＳ６において、代表的な情報ＲＩＮＦは、ユーザ機器３０に供給される。続いて、ステップＳ７において、ユーザ機器３０は、メッセージがユーザのコメントＣＯＭＭ及び代表的な情報ＲＩＮＦの双方を有するように、メッセージＭＳＧに代表的な情報ＲＩＮＦを含める。
【００３３】
メディアレシーバが、より広範囲な代表的な情報ＸＩＮＦの部分として代表的な情報ＲＩＮＦを供給することが代わりに可能である。その場合、ユーザは、オプショナルなステップＳ６１において前記より広範囲な代表的な情報ＸＩＮＦから前記代表的な情報ＲＩＮＦを選択することを可能にされる。また、この場合、メディアレシーバ３０は、外部サーバ６０から情報ＸＩＮＦを取り出してもよい。
【００３４】
再び他の実施形態において、メディアレシーバ１０は、前記データ要求信号ＤＲＱに基づいて、前記起動の時点で再生されるメディアアイテムの指標ＭＩＤＴ及び前記メディアアイテムのどの部分が前記起動の時点で再生されるかを示す時間指標をユーザ機器３０に供給する。ユーザ機器３０は、サーバ６０からの代表的な情報ＲＩＮＦを要求するために、この指標ＭＩＤＴを用いることができる。
【００３５】
"機能"は、当業者にとって明らかなように、単独で又は他の機能と連動して、分離して又は他の要素と協働して、動作中に再生するか、又は、特定の機能を再生するように設計されている、（分離した又は一体型の回路又は電子部品要素のような）任意のハードウェア又は（プログラム又はプログラムの部分のような）ソフトウェアを含むことを意図される。本発明は、幾つかの異なる要素を有するハードウェアによって、及び、適切にプログラムされたコンピュータによって実装され得る。幾つかの機能を列挙しているデバイスに係る請求項において、これらの機能の幾つかは、ハードウェアの全く同一のアイテムにより具現化され得る。"コンピュータプログラム製品"は、フロッピーディスク、インターネットのようなネットワークを介してダウンロード可能なもの、又は任意の他の態様において市場で流通されているもののような、コンピュータ可読媒体上に格納された任意のソフトウェア製品を意味することが理解されるべきである。
【００３６】
ここで用いられるように、"有する"、"含む"という用語又はその任意の他のバリエーションは、排他的でない包含をカバーすることを意図される。例えば、要素のリストを有するプロセス、方法、品目又は装置は、これらの要素に必ずしも限定されるというわけではなく、特にリストアップされない、又は、斯様なプロセス、方法、品目又は装置にとって固有ではない他の要素を含んでもよい。更に、特に矛盾する記載がない限り、"又は"は、包括的又は排他的に言及する。例えば、条件Ａ又はＢは、以下のもののうちいずれかにより満たされる。Ａは真であり（又は存在する）Ｂは偽である（又は存在しない）、Ａは偽であり（又は存在しない）Ｂは真である（又は存在する）、Ａ及びＢは真である（又は存在する）。また、要素の単数表記は、本発明の複数の要素及び複数のコンポーネントを述べるために使用される。これは、単に、便利さのため、及び、本発明の一般的な感覚を与えるためだけに行われる。この説明は、１又は少なくとも１つを含むように読まれるべきであり、そうではないと意味されることが明らかでない限り、単数は複数も含む。
【００３７】
他の実施形態において、顔認識モジュール（１４３）を更に有するシステムは、メディアアイテムにある画像データからオブジェクト又は人を認識し、メディアアイテムにとって代表的なテキスト情報としてオブジェクト又は人の識別を含めるように構成される。
【００３８】
更なる実施形態において、システムは、メディアレシーバ（１０）の部分であるデータ抽出機能（１４）を更に有し、ユーザ機器（３０）は、データリクエスト信号（ＤＲＱ）をメディアレシーバ（１０）に発行するように構成され、メディアレシーバ（１０）は、前記メディアアイテムについての前記メッセージ（ＭＳＧ）に含まれるべき前記抽出された代表的な情報（ＲＩＮＦ）を供給するように構成される。
【００３９】
他の実施形態において、システムは、サーバ（６０）及び要求元端末（１０；３０）を更に有し、前記サーバ（６０）は、データ抽出機能（１４）を有し、前記メディアアイテムコメントオプションの起動により、要求元端末（１０；３０）は、前記起動の時点に関連付けられたメディアアイテムの、及び、前記起動の時点に関連付けられた前記メディアアイテムの一部の、指標（ＭＩＤＴ）を前記サーバに提出するように構成され、サーバ（６０）は、前記メディアアイテムについての前記メッセージ（ＭＳＧ）に含まれるべき前記抽出された代表的な情報（ＲＩＮＦ）を前記要求元端末に供給するように構成される。
【００４０】
システムの他の実施形態において、メディアレシーバ（１０）は、要求元端末である。
【００４１】
システムの他の実施形態において、ユーザ機器（３０）は、要求元端末であり、前記メディアアイテムコメントオプションの起動により、ユーザ機器（３０）は、メディアレシーバ（１０）から指標（ＭＩＤＴ）を受信し、この指標をサーバに提出するように構成され、サーバ（６０）は、前記メディアアイテムについての前記メッセージ（ＭＳＧ）に含まれるべき前記抽出された代表的な情報（ＲＩＮＦ）を前記ユーザ機器（３０）に供給するように構成される。
【００４２】
システムの他の実施形態において、メディアアイテムから抽出される代表的な情報（ＲＩＮＦ）はテキスト情報である。
【００４３】
コンピュータプログラム製品の他の実施形態において、ユーザ機器からのデータ要求信号（ＤＲＱ）を受信するステップと、前記データ要求信号の時点と関連付けられるタイムスロットにおいて再生されるメディアアイテムの一部に関する代表的な情報（ＲＩＮＦ）を抽出するステップと、前記代表的な情報（ＲＩＮＦ）をユーザ機器に供給するステップとを実行するデータ処理デバイスをもたらすための命令を有する。
【図１】
0006382209.tif 000002
【図２】
0006382209.tif 000003
【図３】
0006382209.tif 000004
【図３Ａ】
0006382209.tif 000005
【図４】
0006382209.tif 000006
【図５】
0006382209.tif 000007
【図５Ａ】
0006382209.tif 000008
【図５Ｂ】
0006382209.tif 000009
【図６】
0006382209.tif 000010